(57)【要約】  放送を受信する放送受信部１１と、拡張サービスを提供する拡張サービス提供部１２と、拡張サービスが有効／無効を判定する拡張サービス判定部１３と、拡張サービスの有効が判定された場合に、それを１つのチャンネルとして追加するチャンネル変更部１４と、放送受信部で受信できるチャンネルおよび追加されたチャンネルの中から１つを選択する入力部１５と、選択されたチャンネルが放送受信部で受信できるチャンネルであれば該チャンネルの放送の受信を開始させ、且つ、放送受信部および拡張サービス提供部の何れの出力を使用するかを切り替えるチャンネル制御部１６と、切り替えられた放送受信部または拡張サービス提供部の出力に基づく情報を外部に出力する出力部１７〜２０とを備えている。【特許請求の範囲】
【請求項１】
チャンネル制御情報によって指示されたチャンネルの放送を受信する放送受信部と、
放送受信機能以外の付加機能として拡張サービスを提供する拡張サービス提供部と、
前記拡張サービス提供部によって提供される拡張サービスが有効であるか否かを判定する拡張サービス判定部と、
前記拡張サービス判定部によって拡張サービスが有効である旨が判定された場合に、前記拡張サービス提供部によって提供される拡張サービスを１つのチャンネルとして追加するチャンネル変更部と、
前記放送受信部で受信できるチャンネルおよび前記チャンネル変更部により追加されたチャンネルの中から１つのチャンネルを選択するための操作情報を入力する入力部と、
前記入力部から入力された操作情報によって選択されたチャンネルが前記放送受信部で受信できるチャンネルであれば該チャンネルを指示するチャンネル制御情報を前記放送受信部に送って放送の受信を開始させ、且つ、前記放送受信部および前記拡張サービス提供部の何れの出力を使用するかを切り替えるための出力切替情報を生成するチャンネル制御部と、
前記チャンネル制御部からの出力切替情報に応じて切り替えられた前記放送受信部または前記拡張サービス提供部の出力に基づく情報を外部に出力する出力部
とを備えた放送受信装置。
【請求項２】
チャンネル変更部は、拡張サービス判定部による判定結果が有効から無効に変化した時に、該無効に変化した拡張サービスに対応するチャンネルを削除する
ことを特徴とする請求項１記載の放送受信装置。
【請求項３】
拡張サービス判定部は、拡張サービス提供部によって提供される拡張サービスに用いられるデータの有無によって、拡張サービスが有効であるか否かを判定する
ことを特徴とする請求項１記載の放送受信装置。
【請求項４】
外部装置の状態を検出する外部装置状態検出部を備え、
拡張サービス判定部は、前記外部装置状態検出部で検出された外部装置の状態に応じて、拡張サービスが有効であるか否かを判定する
ことを特徴とする請求項１記載の放送受信装置。
【請求項５】
拡張サービスが有効であるか否かを表す情報が予め設定される情報記憶部を備え、
拡張サービス判定部は、前記情報記憶部から取得した情報に応じて、拡張サービスが有効であるか否かを判定する
ことを特徴とする請求項１記載の放送受信装置。
【請求項６】
情報記憶部に記憶された情報を変更する情報変更部
を備えたことを特徴とする請求項５記載の放送受信装置。
【請求項７】
当該放送受信装置が搭載された移動体の状態を取得する移動体状態取得部を備え、
拡張サービス判定部は、前記移動体状態取得部によって取得された移動体の状態に応じて、拡張サービスが有効であるか否かを判定する
ことを特徴とする請求項１記載の放送受信装置。
【請求項８】
当該放送受信装置が搭載された移動体の状態を取得する移動体状態取得部を備え、
チャンネル制御部は、前記移動体状態取得部によって取得された移動体の状態に応じて、チャンネル変更部によって追加されたチャンネルの中の予め設定されたチャンネルに切り替える
ことを特徴とする請求項１記載の放送受信装置。
【請求項９】
チャンネル制御部は、入力部から入力された操作情報に応じて、チャンネル変更部によって追加されたチャンネルの中から１つを選択し、移動体状態取得部によって取得された移動体の状態に応じて、該選択したチャンネルに切り替える
ことを特徴とする請求項８記載の放送受信装置。
【請求項１０】
当該放送受信装置が搭載された移動体の状態を取得する移動体状態取得部を備え、
チャンネル制御部は、前記移動体状態取得部によって取得された移動体の状態に応じて、出力部から出力する情報の種類を変更する
ことを特徴とする請求項１記載の放送受信装置。
【請求項１１】
チャンネル制御部は、
切り替わるチャンネルの順番を変更するチャンネル順番変更部を備え、
前記チャンネル順番変更部で変更されたチャンネルの順番にしたがってチャンネルを切り替える
ことを特徴とする請求項１記載の放送受信装置。
【請求項１２】
チャンネル順番変更部は、入力部から入力された操作情報に応じてチャンネルの順番を変更する
ことを特徴とする請求項１１記載の放送受信装置。
【請求項１３】
チャンネル順番変更部は、入力部から入力された操作情報により選択されたチャンネルの選択頻度を計測し、該計測したチャンネルの選択頻度に応じてチャンネルの順番を変更する
ことを特徴とする請求項１１記載の放送受信装置。
【請求項１４】
チャンネル制御部は、
チャンネルに対応付けられた認識対象情報を記憶し、入力部から入力された操作情報に対して認識処理を行った結果が該認識対象情報に一致する場合に、該認識対象情報に対応付けられたチャンネルに対応した放送受信部の出力または拡張サービス提供部の出力が使用されるように切り替えるための出力切替情報を生成する
ことを特徴とする請求項１記載の放送受信装置。
【請求項１５】
チャンネル制御部に記憶される認識対象情報は、拡張サービス提供部より送信され、設定されることを特徴とする請求項１４記載の放送受信装置。
【請求項１６】
チャンネル制御部に記憶される認識対象情報は、入力部から入力された操作情報に基づき設定される
ことを特徴とする請求項１４記載の放送受信装置。
【請求項１７】
当該放送受信装置が搭載された移動体の状態を取得する移動体状態取得部を備え、
チャンネル制御部は、
チャンネルに対応付けられた複数の認識対象情報を記憶し、入力部から入力された操作情報に対して認識処理を行った結果が、前記移動体状態取得部によって取得された移動体の状態に基づいて複数の認識対象情報の中から選択された１つの認識対象情報に一致する場合に、該認識対象情報に対応付けられたチャンネルに対応した放送受信部の出力または拡張サービス提供部の出力が使用されるように切り替えるための出力切替情報を生成する
ことを特徴とする請求項１４記載の放送受信装置。
【請求項１８】
放送受信部は、放送の受信状態を検出する受信状態検出部を備え
チャンネル制御部は、前記受信状態検出部から受け取った受信状態に応じて、予め設定されているチャンネルに対応する拡張サービス提供部が使用されるように切り替えるための出力切替情報を生成する
ことを特徴とする請求項１記載の放送受信装置。
【請求項１９】
チャンネル制御部は、入力部から入力された操作情報に応じて、予め設定されている拡張サービスのチャンネルを変更する
ことを特徴とする請求項１８記載の放送受信装置。
【請求項２０】
拡張サービス提供部を複数備え、
各拡張サービス提供部は、切替可否を表すチャンネル制御可否情報をチャンネル制御部に送り、前記チャンネル制御部は、受け取ったチャンネル制御可否情報によって切替可能であることを示している拡張サービス提供部の中から選択された１つの拡張サービス提供部が使用されるように切り替えるための出力切替情報を生成する
ことを特徴とする請求項１８記載の放送受信装置。
【請求項２１】
拡張サービス提供部を複数備え、
各拡張サービス提供部は、チャンネル制御可否情報と優先度情報とをチャンネル制御部に送り、前記チャンネル制御部は、受け取った優先度情報によって示される優先度に応じて選択された拡張サービス提供部が使用されるように切り替えるための出力切替情報を生成する
ことを特徴とする請求項２０記載の放送受信装置。
【請求項２２】
拡張サービス提供部は、電子地図表示サービス、カーナビゲーションサービス、ＷＥＢブラウザサービス、施設情報提供サービス、電子メールサービス、カメラ映像表示サービス、録画映像再生サービス、番組表提供サービス、データ放送提供サービス、交通情報提供サービス、音楽再生サービスおよび静止画表示サービスのうちの少なくとも１つを提供する
ことを特徴とする請求項１記載の放送受信装置。
【発明の詳細な説明】
【技術分野】
【０００１】
この発明は、放送を受信する放送受信装置に関し、特に放送受信機能の他に付加機能として提供される拡張サービスを選択するための技術に関する。
【背景技術】
【０００２】
最近のテレビ放送受信機は、基本機能であるテレビ放送の受信および表示といった基本機能の他に、例えばインターネットに接続して、ＷＷＷ（Ｗｏｒｌｄ  Ｗｉｄｅ  Ｗｅｂ）サイトにアクセスし、ユーザにホームページ情報を提示するといった付加機能を有するものが増えてきている。特に、地上デジタル放送の開始に伴ってテレビ放送受信機の高機能化が進展しており、付加機能を望む傾向が顕著である。【０００３】
しかしながら、テレビ放送受信機において、ユーザが付加機能を選択する場合、例えば、リモートコントローラ（以下、「リモコン」と略する）やメニュー画面に付加機能を選択するためのボタンや項目を備えなければならず、付加機能が増える度に新しいリモコンやメニュー画面を用意する必要がある。したがって、付加機能を備えたテレビ放送受信機自体のコストアップに繋がるという問題がある。【０００４】
上記のような問題を解決するために、テレビ放送受信機の基本操作であるチャンネル操作によりＷＷＷサイトの情報を閲覧できるようにした装置が開発されている。例えば、特許文献１は、テレビ放送受信機における通常のチャネル操作に相当する操作によって、ウェブ文書をテレビ番組と同様に扱うことを可能とすることにより、操作の統一および簡便化を実現したウェブ番組閲覧装置を開示している。【０００５】
【特許文献１】特開２０００−２３１５２８号公報
【０００６】
しかしながら、特許文献１に開示された従来のウェブ番組閲覧装置は、ケーブル切断やサービスプロバイダの不具合等によってインターネットにアクセスできない場合や、ＷＷＷサイト側のサーバ故障等によってホームページを閲覧できない場合であっても、チャンネル操作がなされると、正常でない画面がウェブ番組として表示されてしまうという問題がある。【０００７】
この発明は、上述した問題を解消するためになされたものであり、付加機能として提供される拡張サービスのうちの有効な拡張サービスのみをチャンネル操作によってユーザに提供できる放送受信装置を提供することを目的とする。
【発明の開示】
【０００８】
この発明に係る放送受信装置は、チャンネル制御情報によって指示されたチャンネルの放送を受信する放送受信部と、放送受信機能以外の付加機能として拡張サービスを提供する拡張サービス提供部と、拡張サービス提供部によって提供される拡張サービスが有効であるか否かを判定する拡張サービス判定部と、拡張サービス判定部によって拡張サービスが有効である旨が判定された場合に、拡張サービス提供部によって提供される拡張サービスを１つのチャンネルとして追加するチャンネル変更部と、放送受信部で受信できるチャンネルおよびチャンネル変更部により追加されたチャンネルの中から１つのチャンネルを選択するための操作情報を入力する入力部と、入力部から入力された操作情報によって選択されたチャンネルが放送受信部で受信できるチャンネルであれば該チャンネルを指示するチャンネル制御情報を放送受信部に送って放送の受信を開始させ、且つ、放送受信部および拡張サービス提供部の何れの出力を使用するかを切り替えるための出力切替情報を生成するチャンネル制御部と、チャンネル制御部からの出力切替情報に応じて切り替えられた放送受信部または拡張サービス提供部の出力に基づく情報を外部に出力する出力部とを備えている。
【０００９】
この発明に係る放送受信装置によれば、付加機能である拡張サービスが有効かどうかを判定して、有効である場合にのみチャンネルとして追加するように構成したので、付加機能として提供される拡張サービスのうちの有効な拡張サービスのみをチャンネル操作によってユーザに提供できる。
【図面の簡単な説明】
【００１０】
【図１】この発明の実施の形態１に係る放送受信装置の構成を示すブロック図である。
【図２】この発明の実施の形態１に係る放送受信装置で使用されるリモコンの構成を示す図である。
【図３】この発明の実施の形態１に係る放送受信装置で使用されるチャンネル制御テーブルの構成を示す図である。
【図４】この発明の実施の形態１に係る放送受信装置のデジタル放送受信部の構成を示すブロック図である。
【図５】この発明の実施の形態１に係る放送受信装置のデジタル放送受信部の構成を示すブロック図である。
【図６】この発明の実施の形態１に係る放送受信装置で行われるチャンネル制御処理を示すフローチャートである。
【図７】この発明の実施の形態２に係る放送受信装置におけるカーナビゲーションサービスを実現するための拡張サービス提供部の構成を示すブロック図である。
【図８】この発明の実施の形態２に係る放送受信装置における電子地図表示サービスを実現するための拡張サービス提供部の構成を示すブロック図である。
【図９】この発明の実施の形態２に係る放送受信装置における電子メールサービスを実現するための拡張サービス提供部の構成を示すブロック図である。
【図１０】この発明の実施の形態２に係る放送受信装置におけるカメラ映像表示サービスを実現するための拡張サービス提供部の構成を示すブロック図である。
【図１１】この発明の実施の形態２に係る放送受信装置における録画映像再生サービスを実現するための拡張サービス提供部の構成を示すブロック図である。
【図１２】この発明の実施の形態２に係る放送受信装置における番組表提供サービスを実現するための拡張サービス提供部の構成を示すブロック図である。
【図１３】この発明の実施の形態３に係る放送受信装置においてチャンネル順番の変更に使用されるチャンネル順番変更画面の例を示す図である。
【図１４】この発明の実施の形態３に係る放送受信装置におけるチャンネル順番の変更に伴ってチャンネル制御テーブルが変更される様子を示す図である。
【図１５】この発明の実施の形態３に係る放送受信装置において実行されるチャンネル順番変更処理を示すフローチャートである。
【図１６】この発明の実施の形態４に係る放送受信装置において入力部として使用されるタッチパネルを説明するための図である。
【図１７】この発明の実施の形態４に係る放送受信装置において使用されるチャンネル制御テーブルを示す図である。
【図１８】この発明の実施の形態４に係る放送受信装置において使用される手書き文字変更画面を示す図である。
【図１９】この発明の実施の形態４に係る放送受信装置においてチャンネル制御テーブルに格納される情報を説明するための図である。
【図２０】この発明の実施の形態５に係る放送受信装置において使用されるデジタル放送受信部の構成を示すブロック図である。
【発明を実施するための最良の形態】
【００１１】
以下、この発明をより詳細に説明するために、この発明を実施するための最良の形態について、添付の図面に従って説明する。なお、以下では、放送受信装置の一例として、地上デジタル放送受信機について説明するが、この発明は、地上デジタル放送受信機に限らず、例えばアナログ放送受信機などの種々の放送受信機に適用することもできる。
実施の形態１．
図１は、この発明の実施の形態１に係る放送受信装置の構成を示すブロック図である。この放送受信装置は、デジタル放送受信部１１、拡張サービス提供部１２、拡張サービス判定部１３、チャンネル変更部１４、入力部１５、チャンネル制御部１６、出力切替部１７、出力部１８、モニタ部１９およびスピーカ部２０から構成されている。【００１２】
デジタル放送受信部１１は、チャンネル制御部１６から送られてくるチャンネル制御情報によって設定された周波数の地上デジタル放送を受信する。このデジタル放送受信部１１において地上デジタル放送を受信することにより得られた映像出力情報および音声出力情報は、出力切替部１７を経由して出力部１８に送られる。このデジタル放送受信部１１については、後にさらに詳細に説明する。【００１３】
拡張サービス提供部１２は、この放送受信装置の基本機能であるテレビ放送受信機能の他に、付加機能として拡張サービスを提供する。この実施の形態１に係る放送受信装置では、拡張サービスとして、ＷＥＢブラウザサービスが提供されるものとする。この拡張サービス提供部１２は、ＷＥＢブラウザによって取得したコンテンツを解釈して得られた映像出力情報および音声出力情報を、出力切替部１７を経由して出力部１８に送る。また、拡張サービス提供部１２は、拡張サービスが有効である否か、つまり拡張サービスの有効性を示す有効性情報を、拡張サービス判定部１３およびチャンネル制御部１６に送る。この拡張サービス提供部１２については、後にさらに詳細に説明する。【００１４】
拡張サービス判定部１３は、拡張サービス提供部１２から送られてくる有効性情報に基づき、拡張サービス提供部１２におけるＷＥＢブラウザサービスが有効であるか否かを判定する。この拡張サービス判定部１３における判定結果は、チャンネル変更部１４に送られる。【００１５】
チャンネル変更部１４は、拡張サービス判定部１３から送られてくる判定結果が、拡張サービスが有効である旨を示しているときは、拡張サービス提供部１２によって提供されるＷＥＢブラウザサービスを１つのチャンネルとして追加するためのチャンネル変更情報を生成する。また、チャンネル変更部１４は、拡張サービス判定部１３から送られてくる判定結果が、拡張サービスが有効から無効に変化したことを示しているときは、追加されたＷＥＢブラウザサービスに対応するチャンネルを削除するためのチャンネル変更情報を生成する。このチャンネル変更部１４で生成されたチャンネル変更情報は、チャンネル制御部１６に送られる。【００１６】
このように、拡張サービスとしてのＷＥＢブラウザサービスが有効であるときは、その拡張サービスが１つのチャンネルに追加され、有効から無効に変化したときは追加されたチャンネルは削除されるという動作が動的に行われるので、チャンネル操作によってチャンネルを順次変更するときは、無効な拡張サービスはスキップされる。したがって、従来のウェブ番組閲覧装置のように、正常でない画面がウェブ番組として表示されることを防止することができる。【００１７】
入力部１５は、例えばリモコン１０から送信される信号を受信し、操作情報としてチャンネル制御部１６に送る。リモコン１０は、例えば図２に示すように、カーソルを上下左右に移動させるための十字ボタン１０１、チャンネル番号を増減させるためのチャンネルボタン（ＣＨ．）１０２、音量を増減させるための音量ボタン（ＶＯＬ）１０３を備えている。【００１８】
チャンネルボタン１０２は、アップボタン（↑）とダウンボタン（↓）とから構成されており、それぞれ、チャンネル番号を増加または減少させるために使用される。同様に、音量ボタン１０３は、アップボタン（↑）とダウンボタン（↓）とから構成されており、それぞれ、音量を増加または減少させるために使用される。このように構成されるリモコン１０において、十字ボタン１０１、チャンネルボタン１０２または音量ボタン１０３が押されると、押されたボタンに対応するリモコンコードが入力部１５に送信される。入力部１５は、リモコンコードを受信すると、そのリモコンコードに対応した操作情報を生成してチャンネル制御部１６に送る。【００１９】
チャンネル制御部１６は、入力部１５から送られてくる操作情報が、チャンネルボタン１０２の操作に基づき発生されたチャンネル操作情報である場合は、このチャンネル操作情報に応じて１つのチャンネルを選択し、この選択したチャンネルから映像および音声が出力されるような出力切替情報を生成して出力切替部１７に送る。また、チャンネル制御部１６は、選択したチャンネルの周波数を指示するチャンネル制御情報を生成してデジタル放送受信部１１に送る。【００２０】
また、チャンネル制御部１６は、図３に示すようなチャンネル制御テーブルを記憶している。チャンネル制御テーブルは、カウンタの各値に対してテレビ放送のチャンネルまたは拡張サービスのチャンネルが対応付けられて構成されている。図３に示す例では、カウンタ値１〜１０に対してテレビ放送チャンネルが対応付けられ、カウンタ値１１に対して拡張サービスチャンネル（ＣＨ）が対応付けられている。このチャンネル制御テーブルへの拡張サービスチャンネルの追加および削除は、チャンネル変更部１４から送られてくるチャンネル変更情報にしたがって行われる。拡張サービスチャンネルに対しては、さらに、その拡張サービスが有効であるか無効であるかを示す情報が付与されている。チャンネル制御部１６は、拡張サービス提供部１２から送られてくる有効性情報に応じて、拡張サービスチャンネルの有効と無効とを切り替える。【００２１】
出力切替部１７は、チャンネル制御部１６から送られてくる出力切替情報に応じて、出力ソースを、デジタル放送受信部１１から受け取るか拡張サービス提供部１２から受け取るかを切替える。この出力切替部１７の出力は、出力部１８に送られる。【００２２】
出力部１８は、拡張サービス提供部１２またはデジタル放送受信部１１から出力切替部１７を経由して送られてくる映像出力情報を映像信号に変換してモニタ部１９に送るとともに、音声出力情報を音声信号に変換してスピーカ部２０に送る。モニタ部１９は、例えば液晶ディスプレイから構成されており、出力部１８から受け取った映像信号に基づき映像を表示する。スピーカ部２０は、出力部１８から受け取った音声信号に基づき音声を出力する。【００２３】
次に、上述したデジタル放送受信部１１の詳細を説明する。図４は、デジタル放送受信部１１の詳細な構成を示すブロック図である。このデジタル放送受信部１１は、アンテナ部２１、チューナ部２２およびデコーダ部２３から構成されている。【００２４】
アンテナ部２１は、地上デジタル放送によるテレビ放送波を受信して電気信号に変換し、テレビ放送信号としてチューナ部２２に送る。チューナ部２２は、アンテナ部２１から送られてきたテレビ放送信号のうち、チャンネル制御部１６から送られてくるチャンネル制御情報によって指示された周波数の信号に対して高周波信号処理や復調処理等を行い、ＭＰＥＧ（Ｍｏｖｉｎｇ  Ｐｉｃｔｕｒｅ  Ｅｘｐｅｒｔｓ  Ｇｒｏｕｐ）データを生成する。このチューナ部２２において生成されたＭＰＥＧデータは、デコーダ部２３に送られる。【００２５】
デコーダ部２３は、チューナ部２２から送られてきたＭＰＥＧデータに対して多重分離処理を行い、ＭＰＥＧ映像データとＭＰＥＧ音声データとに分離する。そして、分離されたＭＰＥＧ映像データに対して復号処理を行って映像出力情報を生成するとともに、ＭＰＥＧ音声データに対して復号処理を行って音声出力情報を生成する。このデコーダ部２３で生成された映像出力情報および音声出力情報は、出力切替部１７に送られる。なお、ＭＰＥＧデータには、ＭＰＥＧ映像データおよびＭＰＥＧ音声データの他に、データ放送用のＭＰＥＧ付加データが含まれるが、ここでは説明を省略する。【００２６】
次に、上述した拡張サービス提供部１２の詳細を説明する。図５は、拡張サービス提供部１２の詳細な構成を示すブロック図である。拡張サービス提供部１２は、携帯電話３０が接続された通信制御部３１およびコンテンツ解釈部３２から構成されている。【００２７】
通信制御部３１は、携帯電話３０を制御することによりインターネットにダイアルアップ接続し、インターネット上のＷＷＷサーバ（図示は省略する）によって提供されるコンテンツを取得してコンテンツ解釈部３２に送る。また、通信制御部３１は、携帯電話３０から受け取った電波状態に応じて、通信可否を表す有効性情報を拡張サービス判定部１３に送る。より詳しくは、通信制御部３１は、携帯電話３０の電波状況を常時監視しており、電波状況が「圏外」レベルになった場合には、拡張サービス判定部１３に対して「通信不可」を表す有効性情報を送る。電波状況は、携帯電話３０に表示されるアンテナレベルと同じである。ここでは、「圏外」レベルにおいて「通信不可」としているが、「電波レベル１」（アンテナが１本立っている状態）を閾値として通信可否を判定するように構成することもできる。【００２８】
コンテンツ解釈部３２は、通信制御部３１から受け取ったコンテンツのＨＴＭＬ（Ｈｙｐｅｒ  Ｔｅｘｔ  Ｍａｒｋｕｐ  Ｌａｎｇｕａｇｅ）を解釈して、コンテンツを映像データに変換して映像出力情報として出力切替部１７に送るとともに、コンテンツに含まれる文字情報に対して音声合成処理を行い、コンテンツ読みあげ用の音声データを生成して音声出力情報として出力切替部１７に送る。【００２９】
なお、上述した放送受信装置では、携帯電話３０を介してインターネットに接続するように構成したが、無線ＬＡＮ（Ｌｏｃａｌ  Ａｒｅａ  Ｎｅｔｗｏｒｋ）やＤＳＲＣ（Ｄｅｄｉｃａｔｅｄ  Ｓｈｏｒｔ  Ｒａｎｇｅ  Ｃｏｍｍｕｎｉｃａｔｉｏｎ）といった無線デバイスを介してインターネットに接続することもできるし、ＬＡＮケーブル等といった有線デバイスを介してインターネットに接続するように構成することもできる。これらの場合、無線通信の電波状態やＬＡＮケーブルにおける通信状態によって、拡張サービス提供部１２で提供されるＷＥＢブラウザサービスの有効性を判定するように構成できる。【００３０】
次に、上記のように構成される、この発明の実施の形態１に係る放送受信装置で行われるチャンネル制御処理を、図６に示すフローチャートを参照しながら説明する。なお、チャンネル制御テーブルには、図３に示す情報が記憶されているものとする。【００３１】
ユーザが、リモコン１０のチャンネルボタン１０２のアップボタンまたはダウンボタンを押下すると、リモコン１０から入力部１５に対して、押下されたアップボタンまたはダウンボタンに対応するリモコンコードが送信される。入力部１５は、リモコンコードを受信すると、そのリモコンコードに対応した操作情報を生成してチャンネル制御部１６に送る。チャンネル制御部１６は、入力部１５から送られてきた操作情報が、チャンネルボタン１０２のアップボタンまたはダウンボタンの押下を示していると判断すると、チャンネル制御処理を開始する。なお、デジタル放送受信部１１に対するチャンネル切替処理は、従来のデジタル放送受信機と同じであるので、詳細な説明を省略する。【００３２】
チャンネル制御処理が開始されると、まず、カウンタが初期化される（ステップＳＴ１１）。すなわち、チャンネル制御部１６に内蔵されているカウンタの内容ｎが「１」に設定される。次いで、操作情報が受信される（ステップＳＴ１２）。ここで、受信される操作情報は、チャンネルボタン１０２のアップボタンが押された旨を表しているものとする。次いで、カウンタの内容ｎが「１１」であるかどうか、つまり拡張サービスチャンネルであるかどうかが調べられる（ステップＳＴ１３）。【００３３】
このステップＳＴ１３において、カウンタの内容ｎが「１１」であることが判断されると、カウンタの内容ｎが「１」に設定される（ステップＳＴ１４）。次いで、デジタル放送側に出力が切り替えられる（ステップＳＴ１５）。すなわち、チャンネル制御部１６は、出力切替情報を出力切替部１７に送ることにより、デジタル放送受信部１１の出力が出力切替部１７を介して出力部１８に送られるように切り替える。次いで、チャンネル制御が行われる（ステップＳＴ１６）。すなわち、チャンネル制御部１６は、チャンネル制御テーブルを参照し、カウンタの欄が「１」に対応するチャンネル（図３に示す例ではチャンネル２４）の周波数を指示するチャンネル制御情報をデジタル放送受信部１１に送る。これにより、デジタル放送受信部１１は、２４チャンネル（Ａ放送）のデジタル放送波を受信し、映像出力情報および音声出力情報を出力する。そして、デジタル放送受信部１１から出力される映像出力情報が再生されてモニタ部１９に表示されるとともに、音声出力情報に基づく音声が再生されてスピーカ部２０から出力される。その後、シーケンスはステップＳＴ１２に戻り、上述した処理が繰り返される。【００３４】
上記ステップＳＴ１３において、カウンタの内容ｎが「１１」でないことが判断されると、次いで、カウンタの内容ｎが「１０」であるかどうかが調べられる（ステップＳＴ１７）。このステップＳＴ１７において、カウンタの内容ｎが「１０」でないことが判断されると、カウンタの内容ｎがインクリメント（＋１）される（ステップＳＴ１８）。次いで、チャンネル制御が行われる（ステップＳＴ１９）。すなわち、チャンネル制御部１６は、チャンネル制御テーブルを参照し、カウンタの欄が「ｎ＋１」に対応するチャンネルの周波数を指示するチャンネル制御情報をデジタル放送受信部１１に送る。これにより、デジタル放送受信部１１は、カウンタの内容ｎ＋１に対応するチャンネルのデジタル放送波を受信し、映像出力情報および音声出力情報を出力する。そして、デジタル放送受信部１１から出力される映像出力情報が再生されてモニタ部１９に表示されるとともに、音声出力情報に基づく音声がスピーカ部２０から出力される。その後、シーケンスはステップＳＴ１２に戻り、上述した処理が繰り返される。【００３５】
上記ステップＳＴ１７において、カウンタの内容ｎが「１０」であることが判断されると、次いで、チャンネル制御テーブルのカウンタの欄が「１１」に対応する拡張サービスチャンネルの拡張サービスは有効であるかどうかが調べられる（ステップＳＴ２０）。このステップＳＴ２０において、有効でないことが判断されると、シーケンスはステップＳＴ１４に進み、上述した処理が実行される。したがって、ユーザによって無効な拡張チャンネルが選択された場合は、そのチャンネルはスキップされることになる。【００３６】
上記ステップＳＴ２０において、拡張サービスが有効であることが判断されると、カウンタの内容ｎがインクリメント（＋１）されて「ｎ＝１１」に更新される（ステップＳＴ２１）。次いで、拡張サービス側に出力が切り替えられる（ステップＳＴ２２）。すなわち、チャンネル制御部１６は、出力切替情報を出力切替部１７に送ることにより、拡張サービス提供部１２の出力が出力切替部１７を介して出力部１８に送られるように切り替える。これにより、拡張サービス提供部１２から出力される映像出力情報が再生されてモニタ部１９に表示されるとともに、音声出力情報に基づく音声が再生されてスピーカ部２０から出力される。その後、シーケンスはステップＳＴ１２に戻り、上述した処理が繰り返される。【００３７】
なお、図６に示すチャンネル制御処理では、チャンネルボタン１０２のアップボタンが押下された時の処理のみを示したが、チャンネルボタン１０２のダウンボタンが押下された場合も同様の処理によって実現できる。また、図６に示すチャンネル制御処理では、チャンネル番号の最後を「１０」としているが、チャンネル番号の最後は「１０」に限定されず任意である。さらに、カウンタの初期値を「１」としているが、電源オフ時に記憶させておいた値を初期値として使用するように構成することができる。【００３８】
また、上述した放送受信装置では、リモコン１０を操作することによってチャンネル番号を増減させるように構成したが、例えばタッチパネルや音声操作を用いてチャンネル番号を増減させるように構成することもできる。【００３９】
また、上述した例では、拡張サービスの有効性を、携帯電話３０の電波レベル（アンテナレベル）を用いて判定するように構成したが、拡張サービスの有効性は、通信に必要な携帯電話３０が接続されている否か、接続されている携帯電話３０の電源が入っているか否か、ＷＷＷサーバにアクセスできるか否か、または、ＷＷＷサーバからのコンテンツのエラーレート（通信時のデータ誤り率）が所定値以下であるか否か等によって判定するように構成することもできる。【００４０】
また、携帯電話３０による通信には、通信コストがかかるので、ユーザが携帯電話３０のメニュー画面および操作ボタン等を用いて、通信制御部３１の内部の情報記憶部に通信を「行う／行わない」といった情報を記憶させ、拡張サービス判定部１３は、この記憶された情報に基づいて拡張サービスの有効性を判定するように構成できる。【００４１】
また、チャンネル制御部１６の内部に、拡張サービスが有効であるか否かを表す情報を予め設定する情報記憶部を設け、拡張サービス判定部１３は、この情報記憶部から取得した情報に応じて、拡張サービスが有効であるか否かを判定するように構成できる。この場合、入力部１５からの操作情報に応じて、情報記憶部に記憶された情報を変更する情報変更部をチャンネル制御部１６の内部に設けるように構成できる。【００４２】
実施の形態２．
上述した実施の形態１では、拡張サービス提供部１２が提供する拡張サービスとして、ＷＥＢブラウザサービスを例に挙げて説明したが、この実施の形態２では、拡張サービス提供部１２は、ＷＥＢブラウザサービス以外の拡張サービスを提供するようにしたものである。【００４３】
この実施の形態２に係る放送受信装置の構成および動作は、拡張サービスの種類および拡張サービスの有効性判定方法を除き、実施の形態１に係る放送受信装置の構成および動作と同じである。したがって、以下では、拡張サービスの種類と、その拡張サービスの有効性判定方法を中心に説明する。【００４４】
（１）カーナビゲーションサービス
カーナビゲーションサービスを実現するために、拡張サービス提供部１２としてカーナビゲーション装置が使用される。図７は、拡張サービス提供部１２として使用されるカーナビゲーション装置のハードウェア構成を示すブロック図である。【００４５】
このカーナビゲーション装置は、ＲＯＭ（Ｒｅａｄ  Ｏｎｌｙ  Ｍｅｍｏｒｙ）４１、ＣＰＵ（Ｃｅｎｔｒａｌ  Ｐｒｏｃｅｓｓｉｎｇ  Ｕｎｉｔ）４２、ＲＡＭ（Ｒａｎｄｏｍ  Ａｃｃｅｓｓ  Ｍｅｍｏｒｙ）４３、外部記憶装置ドライブ４４、外部記憶メディア４５、外部記憶装置インタフェース４６、出力部４７、グラフィック制御回路４８、ユーザ操作部４９、操作部インタフェース５０、周辺機器５１および周辺機器インタフェース５２から構成されている。【００４６】
ＲＯＭ４１は、カーナビゲーションプログラムを記憶する。ＣＰＵ４２は、ＲＯＭ４１からナビゲーション機能を実現するためのカーナビゲーションプログラムを読み出して実行する。ＲＡＭ４３は、ＣＰＵ４１によってカーナビゲーションプログラムが実行される時に、プログラムやデータを一時的に記憶する。【００４７】
外部記憶装置ドライブ４４は、外部記憶メディア４５からデータを読み出して外部記憶装置インタフェース４６に送る。外部記憶メディア４５は、例えばＤＶＤ−ＲＯＭ（Ｄｉｇｉｔａｌ  Ｖｅｒｓａｔｉｌｅ  Ｄｉｓｋ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＨＤＤ（Ｈａｒｄ  Ｄｉｓｋ  Ｄｒｉｖｅ）等から構成されており、地図データベースなどを記憶する。外部記憶装置インタフェース４６は、ＣＰＵ４１と外部記憶装置ドライブ４４との間におけるデータの送受を制御する。【００４８】
出力部４７は、実施の形態１に係るデジタル放送受信装置の出力部１８、モニタ部１９およびスピーカ部２０と共用される。この出力部４７に含まれるモニタ部１９は、グラフィック制御回路４８から送られてくる表示データに従った画像を表示する。グラフィック制御回路４８は、ＣＰＵ４１から送られてくる描画命令に従ってモニタ部１９に画像を描画する。【００４９】
ユーザ操作部４９は、例えばリモコンや各種スイッチ、タッチパネル等から構成されている。このユーザ操作部４９が操作されることにより発生した操作データは、操作部インタフェース５０に送られる。操作部インタフェース５０は、ＣＰＵ４１とユーザ操作部４９との間におけるデータの送受を制御する。【００５０】
周辺機器５１は、例えばＧＰＳ（Ｇｌｏｂａｌ  Ｐｏｓｉｔｉｏｎｉｎｇ  Ｓｙｓｔｅｍ）受信機、ジャイロ、車速パルスセンサ等から構成されている。この周辺機器５１で発生されたデータは周辺機器インタフェース５２に送られる。周辺機器インタフェース５２は、周辺機器５１とＣＰＵ４１との間におけるデータの送受を制御する。【００５１】
上記のように構成されるカーナビゲーション装置の動作は、通常のカーナビゲーション装置の動作と同じであるので説明を省略する。【００５２】
次に、カーナビゲーションサービスの有効性判定方法について説明する。カーナビゲーションサービスが有効であるか否かは、周辺機器５１に含まれるＧＰＳ受信機におけるＧＰＳ受信レベル、つまり捕捉しているＧＰＳ衛星の個数によって判定するように構成できる。または、外部記憶メディア４５の有無、つまり地図データベースが記憶された外部記憶メディアの有無によって判定するように構成できる。または、カーナビゲーション装置の動作状態、つまりカーナビゲーション装置が正常動作しているか異常動作しているかによって判定するように構成できる。または、カーナビゲーション装置の電源状態によって判定するように構成できる。または、周辺機器５１に含まれる車速パルスセンサからの車速パルスの有無によって判定するように構成できる。【００５３】
（２）電子地図表示サービス
電子地図表示サービスは、カーナビゲーションサービスのうちの地図表示に特化した部分、つまりカーナビゲーションサービスからルート探索やルート案内を除外した部分のサービスであり、パーソナルコンピュータ用に提供されている電子地図帳と同様のサービスである。【００５４】
図８は、電子地図表示サービスを提供するための拡張サービス提供部１２として使用される電子地図表示装置の構成を示すブロック図である。この電子地図表示装置は、ＧＰＳ受信機６１、現在位置検出部６２、地図蓄積部６３、地図データ読出部６４および地図データ描画部６５から構成されている。この電子地図表示装置の動作は、パーソナルコンピュータ等で実現されている電子地図帳における処理と同様である。【００５５】
すなわち、ＧＰＳ受信機６１は、ＧＰＳ衛星から送信されるＧＰＳ信号を受信し、現在位置検出部６２に送る。現在位置検出部６２は、ＧＰＳ受信機６１から送られてくるＧＰＳ信号に基づき自己の現在位置を検出し、現在位置データとして地図データ読出部６４に送る。地図蓄積部６３は、例えばハードディスク（ＨＤＤ：Ｈａｒｄ  Ｄｉｓｃ  Ｄｒｉｖｅ）から構成されており、地図データを記憶する。【００５６】
地図データ読出部６４は、現在位置検出部６２から送られてくる現在位置データによって示される位置を中心とする所定範囲の地図データを地図蓄積部６３から読み出して地図データ描画部６５に送る。地図データ描画部６５は、地図データ読出部６４から送られてくる地図データに基づき地図を描画し、映像出力情報として出力切替部１７（図１参照）に送る。なお、地図蓄積部６３としては、ハードディスクの他、メモリカードなどの記憶媒体を用いることもできる。【００５７】
次に、電子地図表示サービスの有効性判定方法について説明する。電子地図表示サービスが有効であるか否かは、ＧＰＳ受信機６１におけるＧＰＳ信号の受信レベル、つまり捕捉しているＧＰＳ衛星の個数によって判定することができる。または、地図蓄積部６３の状態、すなわちハードディスクやメモリカードデバイスの有無や不具合の存否によって判定することができる。または、ＧＰＳ受信機６１からのＧＰＳ信号に基づいて検出された現在位置に対応する地図データの有無によって判定することもできる。【００５８】
（３）施設情報提供サービス
施設情報提供サービスは、カーナビゲーションサービスのうちの施設情報の提供に特化した部分、つまりカーナビゲーションサービスからルート探索やルート案内を除外した部分のサービスである。【００５９】
施設情報提供サービスを提供するための拡張サービス提供部１２は、図８に示した電子地図表示サービスを提供するための構成において、地図蓄積部６３に施設データを蓄積し、地図データ読出部６４は、地図蓄積部６３から施設データを読み出し、地図データ描画部６５は、地図データ読出部６４から送られてくる施設データに基づき施設の案内を表示するように構成される。【００６０】
次に、施設情報提供サービスの有効性判定方法について説明する。施設情報提供サービスが有効であるか否かは、ＧＰＳ受信機６１におけるＧＰＳ信号の受信レベル、つまり捕捉しているＧＰＳ衛星の個数によって判定するように構成できる。または、地図蓄積部６３の状態、すなわちハードディスクやメモリカードデバイスの有無や不具合の存否によって判定するように構成できる。または、ＧＰＳ信号に基づき検出された現在位置に対応する地図データの有無によって判定するように構成できる。【００６１】
（４）電子メールサービス
図９は、電子メールサービスを実現するための拡張サービス提供部１２の構成を示すブロック図である。この拡張サービス提供部１２は、携帯電話３０が接続された通信制御部３１および電子メール管理部３３から構成されている。【００６２】
通信制御部３１は、外部装置状態検出部３１ａを備えている点を除けば、図５に示したＷＥＢブラウザサービスのための拡張サービス提供部１２のそれと同じである。外部装置状態検出部３１ａは、携帯電話３０が接続されているかどうかを検出する。【００６３】
電子メール管理部３３は、通信制御部３１から受け取った電子メールのテキストまたはＨＴＭＬを解釈して、電子メールを映像データに変換して映像出力情報として出力切替部１７に送るとともに、電子メールに含まれる文字情報に対して音声合成処理を行い、電子メール読み上げ用の音声データを生成して音声出力情報として出力切替部１７に送る。【００６４】
次に、電子メールサービスの有効性判定方法について説明する。電子メールサービスが有効であるかどうかは、携帯電話３０が接続されているか否かを外部装置状態検出部３１ａで検出して判定するように構成できる。または、携帯電話３０の電波状態、つまりアンテナレベルによって判定するように構成できる。または、受信した電子メールの有無によって判定するように構成することができる。【００６５】
（５）カメラ映像表示サービス
カメラ映像表示サービスは、例えば車両に搭載された前方カメラや後方カメラの映像を表示するサービスである。このカメラ映像サービスは、例えば、駐車時に後方を映像によって確認したり、出発時に前方を映像によって確認したりする場合に使用される。【００６６】
図１０は、カメラ映像サービスを実現するための拡張サービス提供部１２の構成を示すブロック図である。この拡張サービス提供部１２は、カメラ７１および映像入力部７２から構成されている。【００６７】
カメラ７１は、車両の前方または後方を撮影することにより得られたカメラ映像信号を映像入力部７２に送る。映像入力部７２は、カメラ７１から送られてくるカメラ映像信号に所定の処理を施して映像出力情報として出力切替部１７に送る。また、映像入力部７２は、カメラ映像表示サービスにおける有効性を判定し、有効性情報として拡張サービス判定部１３に送る。【００６８】
次に、カメラ映像表示サービスの有効性判定方法について説明する。カメラ映像表示サービスが有効であるかどうかは、カメラ７１の接続の有無によって判定するように構成できる。または、カメラ映像信号の状態、つまりカメラ映像信号が正常かどうかによって判定するように構成できる。【００６９】
（６）録画映像再生サービス
図１１は、録画映像再生サービスを実現するための拡張サービス提供部１２の構成を示すブロック図である。この拡張サービス提供部１２は、蓄積映像再生装置７３および映像入力部７２から構成されている。【００７０】
蓄積映像再生装置７３は、外部から送られてくる映像データを蓄積するとともに、この蓄積された映像データを再生して映像信号を生成する。この蓄積映像再生装置７３は、映像入力部７４、蓄積映像管理部７５、映像蓄積部７６および映像再生部７７から構成されている。映像入力部７４は、外部から送られてくる映像データを蓄積映像管理部７５に送る。蓄積映像管理部７６は、映像入力部７４から受け取った映像データを映像蓄積部７６に格納するとともに、映像蓄積部７６に格納されている映像データを読み出して映像再生部７７に送る。また、蓄積映像管理部７５は、録画映像再生サービスにおける有効性を判定し、有効性情報として拡張サービス判定部１３に送る。映像再生部７７は、蓄積映像管理部７５から送られてくる映像データに基づき映像信号を再生し、映像入力部７２に送る。【００７１】
映像入力部７２は、蓄積映像再生装置７３から送られてくる映像信号に所定の処理を施して映像出力情報として出力切替部１７に送る。また、映像入力部７２は、録画映像再生サービスにおける有効性を判定し、有効性情報として拡張サービス判定部１３に送るように構成できる。【００７２】
次に、録画映像再生サービスの有効性判定方法について説明する。録画映像再生サービスが有効であるかどうかは、再生すべき録画映像の有無によって判定するように構成できる。または、録画映像再生装置７３からの映像入力の有無によって判定するように構成できる。または、録画映像再生装置７３の電源が入っているかどうかによって判定するように構成できる。【００７３】
（７）番組表提供サービス
図１２は、番組表提供サービスを実現するための拡張サービス提供部１２の構成を示すブロック図である。この拡張サービス提供部１２は、番組表解析部８１および番組表表示データ生成部８２から構成されている。【００７４】
番組表解析部８１には、デジタル放送受信部１１のデコーダ部２３（図４参照）から番組表を表す情報がＭＰＥＧ付加データとして送られてくる。番組表解析部８１は、このＭＰＥＧ付加データを解析することにより番組表データを生成し、番組表表示データ生成部８２に送る。また、番組表解析部８１は、番組表提供サービスにおける有効性を判定し、有効性情報として拡張サービス判定部１３に送る。この場合、番組表提供サービスが有効であるかどうかは、放送から番組表情報を入手できるかどうかによって判定するように構成できる。【００７５】
番組表表示データ生成部８２は、番組表解析部８１から送られてくる番組表データに基づき番組表を表示するための表示データを生成し、映像出力情報として出力切替部１７に送る。なお、上記の例では、番組表情報は、放送によりＭＰＥＧ付加データとして入手するように構成したが、ＷＷＷブラウザサービスのようにインターネットに接続して、インターネット上のサイトから入手するように構成することもできる。【００７６】
（８）データ放送提供サービス
データ放送提供サービスは、番組表提供サービスと同様に、ＭＰＥＧ付加データからデータ放送用のデータを入手してサービスを提供する。この場合、データ放送提供サービスが有効であるかどうかは、データ放送用データを入手可能かどうかによって判定するように構成できる。【００７７】
（９）交通情報提供サービス
交通情報提供サービスは、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）交通情報を表示するサービスである。この交通情報提供サービスを実現するための拡張サービス提供部１２は、ＶＩＣＳ受信機によって構成される。なお、ＶＩＣＳ受信機の構成および動作は周知であるので説明を省略する。【００７８】
次に、交通情報提供サービスの有効性判定方法について説明する。交通情報提供サービスが有効であるかどうかは、ＶＩＣＳデータの有無によって判定するように構成できる。または、車両位置に応じたＶＩＣＳデータの有無、つまりユーザに意味のある交通情報かどうかによって判定するように構成できる。【００７９】
なお、上述した例では、ＶＩＣＳデータをＶＩＣＳ受信機を用いて受信するように構成したが、ＶＩＣＳデータは、ＷＷＷブラウザサービスのように、インターネットからも受信することができるし、データ放送提供サービスのように放送から受信することもできる。これらの場合の有効性判定方法については、上述した通りである。【００８０】
（１０）音楽再生サービス
音楽再生サービスは、従来のオーディオ機器が提供するサービスだけでなく、ＣＤ再生機能等を持った放送受信装置に接続されたハードディスク内蔵携帯オーディオプレーヤやオーディオ機能内蔵携帯電話といった携帯音楽プレーヤで音楽を再生するサービスも含む。この音楽再生サービスを実現するための拡張サービス提供部１２は、携帯音楽プレーヤによって構成される。携帯音楽プレーヤと放送受信装置とは有線によって接続され、携帯音楽プレーヤからは音楽の再生データが放送受信装置に送信され、放送受信装置からは制御データ（再生・停止など）が携帯音楽プレーヤに送信される。【００８１】
この場合、オーディオ機器のドライバ内のＣＤの有無や音楽再生サービスが有効であるかどうかは、携帯音楽プレーヤが接続されているかどうかによって判定するように構成できる。または、携帯音楽プレーヤの再生データが存在するか否かによって判定するように構成することもできる。【００８２】
（１１）静止画表示サービス
静止画表示サービスは、上述した録画映像再生サービスのように、静止画データを画像再生装置の画像蓄積部（何れも図示しない）に蓄積しておき、ユーザの指示に応じてモニタ部１９の背景画像として表示するサービスである。【００８３】
次に、静止画表示サービスの有効性判定方法について説明する。静止画表示サービスが有効であるかどうかは、表示すべき静止画のデータの有無によって判定するように構成できる。または、画像再生装置からの画像データの入力の有無によって判定するように構成できる。または、画像再生装置の電源が入っているかどうかによって判定するように構成できる。【００８４】
この実施の形態２に係る放送受信装置では、拡張サービス提供部１２は、上述した（１）〜（１１）に示すサービスのうちの複数のサービスを提供するように構成することができる。この場合、図３に示すチャンネル制御テーブルの拡張サービスチャンネル（ＣＨ）が複数用意されることになる。【００８５】
また、放送受信装置が車両のような移動体に搭載された場合は、車速パルスを取得する移動体状態取得部９０を設け、チャンネル制御部１６は、この移動体状態取得部９０によって取得された車速パルスの有無によって車両が走行中であることを判定した場合に強制的に例えばカーナビゲーションサービスの拡張サービスチャンネルを選択するように構成することができる。また、複数の拡張サービスチャンネルが存在する場合は、チャンネル制御部１６は、入力部１５から入力された操作情報に応じて、その中から走行中に強制的に遷移する拡張サービスチャンネルを選択し、この選択された拡張サービスチャンネルの情報を表示するように構成することもできる。【００８６】
また、チャンネル制御部１６は、上記移動体状態取得部９０で取得された車速パルスの有無に応じて、出力部１８から出力する情報の種類を変更するように構成できる。具体的には、チャンネル制御部１６は、上記移動体状態取得部９０で取得された車速パルスによって車両が走行中であることを判定した場合は音声のみを出力させ、停車中であることを判定した場合は映像と音声の双方を出力させるように出力部１８を制御するように構成できる。【００８７】
実施の形態３．
実施の形態１に係る放送受信装置では、チャンネル制御テーブルにおける拡張サービスチャンネルの位置は固定であるが、この実施の形態３に係る放送受信装置では、チャンネル制御テーブルにおける拡張サービスチャンネルの位置を変更可能にし、変更されたチャンネル制御テーブルの内容にしたがった順番でチャンネルを切り替えるようにしたものである。【００８８】
実施の形態３に係る放送受信装置の構成は、実施の形態１に係る放送受信装置の構成と同じである。また、実施の形態３に係る放送受信装置の動作は、チャンネル順番変更が行われる点を除き、実施の形態１に係る放送受信装置の動作と同じである。【００８９】
図１３は、チャンネル順番の変更に使用されるチャンネル順番変更画面の例を示す図である。また、図１４は、チャンネル順番の変更に伴って、チャンネル制御テーブルが変更される様子を示す図である。ユーザが、チャンネル順番変更画面上で、リモコン１０を用いて、順番を変更したいチャンネルを選択し（図１３では、拡張サービスチャンネル１が選択されている）、変更したい位置（順番）に移動させることにより、チャンネル順番が変更される。ユーザの操作によってチャンネル順番が変更されると、図１４（ａ）に示すような変更前のチャンネル制御テーブルの内容が、図１４（ｂ）に示すような内容に変更される。【００９０】
以下、チャンネル制御部１６において実行されるチャンネル順番変更処理の詳細を、図１５に示すフローチャートを参照しながら説明する。チャンネル制御部１６のうちのチャンネル順番変更処理を実行する部分は、この発明のチャンネル順番変更部に対応する。【００９１】
ユーザが、リモコン１０のチャンネルボタン１０２のアップボタンまたはダウンボタンを押下すると、リモコン１０から入力部１５に対して、押下されたアップボタンまたはダウンボタンに対応するリモコンコードが送信される。入力部１５は、リモコンコードを受信すると、そのリモコンコードに対応した操作情報を生成してチャンネル制御部１６に送る。チャンネル制御部１６は、入力部１５から送られてきた操作情報が、チャンネルボタン１０２のアップボタンまたはダウンボタンの押下を示していると判断すると、内部のチャンネル順番変更部１６ａでチャンネル順番変更処理を開始する。【００９２】
チャンネル順番変更処理が開始されると、まず、カウンタが初期化される（ステップＳＴ３１）。すなわち、チャンネル制御部１６に内蔵されているカウンタの内容ｎが「１」に設定される。次いで、操作情報が受信される（ステップＳＴ３２）。ここで、受信される操作情報は、チャンネルボタン１０２のアップボタンが押された旨を表しているものとする。次いで、カウンタの内容ｎがチャンネル制御テーブルの最後の行を示しているかどうかが調べられる（ステップＳＴ３３）。【００９３】
このステップＳＴ３３において、カウンタの内容ｎがチャンネル制御テーブルの最後の行を示していることが判断されると、カウンタの内容ｎが「１」に設定され（ステップＳＴ３４）、その後、シーケンスはステップＳＴ３６に進む。一方、ステップＳＴ３３において、カウンタの内容ｎがチャンネル制御テーブルの最後の行を示していないことが判断されると、カウンタの内容ｎがインクリメント（＋１）され（ステップＳＴ３５）、その後、シーケンスはステップＳＴ３６に進む。【００９４】
ステップＳＴ３６においては、カウンタの内容ｎによって示される行のチャンネルＩＤが数字であるかどうかが調べられる。このステップＳＴ３６において、数字であることが判断されると、次いで、デジタル放送側に出力が切り替えられる（ステップＳＴ３７）。すなわち、チャンネル制御部１６は、出力切替情報を出力切替部１７に送ることにより、デジタル放送受信部１１の出力が出力切替部１７を介して出力部１８に送られるように切り替える。次いで、チャンネル制御が行われる（ステップＳＴ３８）。すなわち、チャンネル制御部１６は、チャンネル制御テーブルを参照し、カウンタの内容ｎに対応するチャンネルＩＤを有するチャンネルの周波数を指示するチャンネル制御情報をデジタル放送受信部１１に送る。これにより、デジタル放送受信部１１は、カウンタの内容ｎに対応するチャンネルのデジタル放送波を受信し、映像出力情報および音声出力情報を出力する。そして、デジタル放送受信部１１から出力される映像出力情報が再生されてモニタ部１９に表示されるとともに、音声出力情報に基づく音声が再生されてスピーカ部２０から出力される。その後、シーケンスはステップＳＴ３２に戻り、上述した処理が繰り返される。【００９５】
上記ステップＳＴ３６において、数字でない、つまりアルファベットであることが判断されると、次いで、拡張サービスチャンネルの拡張サービスは有効であるかどうかが調べられる（ステップＳＴ３９）。このステップＳＴ３９において、有効でないことが判断されると、シーケンスはステップＳＴ３３に進み、上述した処理が実行される。一方、拡張サービスが有効であることが判断されると、拡張サービス側に出力が切り替えられる（ステップＳＴ４０）。すなわち、チャンネル制御部１６は、出力切替情報を出力切替部１７に送ることにより、拡張サービス提供部１２の出力が出力切替部１７を介して出力部１８に送られるように切り替える。これにより、拡張サービス提供部１２から出力される映像出力情報が再生されてモニタ部１９に表示されるとともに、音声出力情報に基づく音声が再生されてスピーカ部２０から出力される。その後、シーケンスはステップＳＴ３２に戻り、上述した処理が繰り返される。【００９６】
なお、図１５に示すチャンネル順番変更処理では、チャンネルボタン１０２のアップボタンが押下された時の処理のみを示したが、チャンネルボタン１０２のダウンボタンが押下された場合も同様の処理で実現できる。また、図１５に示すチャンネル順番変更処理では、拡張サービスチャンネルと通常のデジタル放送のチャンネルＩＤをアルファベットと数字とによって区別し、それによって拡張サービスチャンネルかどうかを判定するように構成したが、数字のみを用いて、所定の値以上であれば、拡張サービスチャンネルであると判定するように構成することもできる。【００９７】
また、上述した例では、実施の形態１と同様に、リモコン１０を操作することによりチャンネル番号を増減させるように構成したが、例えばタッチパネルや音声操作を用いてチャンネル番号を増減させるように構成できる。なお、拡張サービスの有効／無効の変更方法は、実施の形態１と同様の方法で行われる。【００９８】
また、上述した例では、ユーザがチャンネル順番を変更するように構成したが、放送受信装置側で自動的にチャンネル順番を変更するように構成することができる。例えば、チャンネルを選択した後に所定秒以上チャンネル変更しなかった場合、そのチャンネルを視聴したと判定してチャンネル視聴回数をカウントしておき、視聴回数の多い順番に、チャンネル順番を変更するように構成できる。これによって、ユーザの視聴頻度の高いチャンネルが先頭に来るようにチャンネル順番を設定できる。【００９９】
また、上述した例では、異なるユーザが放送受信装置を使用することは想定されていないが、カメラによる画像に基づきユーザを認識するユーザ識別部を設けて、識別されたユーザに対応させてチャンネル順番を記憶しておき、ユーザが変われば、それに応じてチャンネル順番も変更するように構成することもできる。【０１００】
実施の形態４．
上述した実施の形態１〜３では、チャンネルの変更は、アップボタンとダウンボタンとから成るチャンネルボタン１０２を用いて行うように構成したが、この実施の形態４では、タッチパネルに手書きされた文字を認識して、ダイレクトにチャンネルを変更するようにしたものである。【０１０１】
この実施の形態４に係る放送受信装置では、拡張サービスチャンネルに対応付ける手書き認識処理の対象文字（認識対象情報）をユーザが設定するように構成することができる。この構成によれば、拡張サービスチャンネルに任意の文字を対応付けることができるので、ユーザが望む操作で拡張サービスチャンネルを選択することが可能となる。【０１０２】
この実施の形態４では、入力部１５としてタッチパネルが使用される。タッチパネルは、一般に、図１６に示すように、所定の解像度でセンサが設置されることにより構成されており、センサのどの部分にユーザが触れたかを表すタッチ情報をチャンネル制御部１６に送る。チャンネル制御部１６は、タッチ情報に基づきユーザが触れた部分を判定することにより、ユーザが手書きした文字を認識する認識処理を実行する。なお、タッチパネルに手書きされた文字の認識処理については周知であるので、詳細な説明を省略する。【０１０３】
チャンネル制御部１６は、図１７に示すような、各チャンネルに手書き文字を対応させたチャンネル制御テーブルを記憶しており、認識結果として得られる文字に応じて、チャンネル制御テーブルに記述された情報を元に、チャンネルの選択および、デジタル放送と拡張サービスとの切替処理を行う。【０１０４】
ユーザは、図１８に示すような手書き文字変更画面を操作し、変更したい拡張サービスチャンネルに対応させる文字を、図示しないソフトウェアキーボード画面（カーナビゲーション装置等の入力画面で用いられている文字入力画面）を用いて設定する。設定された文字は、上述したチャンネル制御テーブルに書き込まれる。これにより、チャンネル制御テーブルの情報が更新される。【０１０５】
なお、放送受信装置が車両などの移動体に搭載された場合は、車速パルスを取得する移動体状態取得部９０を設け、チャンネル制御部１６は、この移動体状態取得部９０によって取得された車速パルスの有無、つまり走行中であるか停車中であるかによって、手書き文字の種類を変更するように構成できる。この場合、チャンネル制御部１６は、例えば図１９に示すような情報のチャンネル制御テーブルを記憶する。これにより、停車中は手書き認識率が高い文字列を設定し、走行中は簡単に入力できる文字列を設定することができ、走行時には認識率が落ちるが、簡単に入力できるという効果を得ることができる。【０１０６】
なお、上述した例では、タッチパネル操作を例に挙げて説明したが、音声操作の場合は、音声認識されるコマンドのフレーズを長くするか短くするかによって上記と同等の機能を実現することができる。【０１０７】
また、上述した例では、ユーザが手書き文字を設定するように構成したが、手書き文字を拡張サービス提供部１２に予め設定しておき、拡張サービスが有効になった時に予め設定された文字をチャンネル制御テーブルに設定するように構成することができる。また、拡張サービスだけでなく、デジタル放送に対しても上記の機能を適用可能であり、デジタル放送の付加データとして操作用の文字を受信し、受信した文字をチャンネル制御テーブルに設定するように構成することができる。【０１０８】
実施の形態５．
放送受信装置が車両等といった移動体に搭載される場合、移動体が移動することにより、放送受信装置の場所も移動するので、受信状態が変化し、放送を正常に受信できない状態（弱電界状態という）になることがある。弱電界状態では放送を正常に提供できなくなるので、この実施の形態５に係る放送受信装置では、弱電界状態になった場合は、強制的に拡張サービスチャンネルに切り替えるようにしたものである。【０１０９】
図２０は、実施の形態５におけるデジタル放送受信部１１の構成を示すブロック図である。このデジタル放送受信部１１は、アンテナ部２１、チューナ部２２およびデコーダ部２３から構成されている。チューナ部２２は、さらに、受信状態検出部２２ａを備えている。受信状態検出部２２ａは、復調時のデータ誤り率（実際にはデータ誤りがある程度発生していても誤り訂正技術によって補完される）を検出し、チャンネル制御部１６に送る。チャンネル制御部１６は、チューナ部２２の受信状態検出部２２ａから送られてくるデータ誤り率を受信し、このデータ誤り率が所定の閾値未満であれば弱電界状態と判定する。チャンネル制御部１６は、弱電界状態と判定した場合、予め設定されている拡張サービスチャンネルの情報を出力する処理を行う。【０１１０】
なお、上述した例では、予め設定した拡張サービスチャンネルにチャンネルを変更するように構成したが、強制的に切り替わる拡張サービスをユーザが設定するように構成することができる。【０１１１】
また、複数の拡張サービスが存在する場合は、各拡張サービス提供部は、強制的に切り替えることが可能かどうかを示すチャンネル制御可否情報をチャンネル制御部１６に送り、チャンネル制御部１６は、切替可能な拡張サービスの中から１つの拡張サービスを選択して、チャンネルを変更するように構成することができる。さらに、その選択に際して、各拡張サービス提供部から優先度情報をチャンネル制御部１６に送信し、チャンネル制御部１６は、優先度情報で示される優先度に応じて強制的に切り替わる拡張サービスを選択するように構成することもできる。【０１１２】
また、上述した例では、チューナ部２２における復調時のデータ誤り率を用いて弱電界状態の判定を行っているが、チューナ部２２で直接に受信したデジタル放送信号の強度（電界強度）によって判定するように構成できる。または、デコーダ部２３におけるＭＰＥＧ多重分離処理やＭＰＥＧデコード処理における処理エラー発生率によって判定するように構成することもできる。
【産業上の利用可能性】
【０１１３】
以上のように、この発明に係る放送受信装置は、付加機能を有し、その付加機能として提供する拡張サービスについて有効性判定を行った上でユーザに提供する装置を得るのに適している。
【図１】
2007037040.tif 000002
【図２】
2007037040.tif 000003
【図３】
2007037040.tif 000004
【図４】
2007037040.tif 000005
【図５】
2007037040.tif 000006
【図６】
2007037040.tif 000007
【図７】
2007037040.tif 000008
【図８】
2007037040.tif 000009
【図９】
2007037040.tif 000010
【図１０】
2007037040.tif 000011
【図１１】
2007037040.tif 000012
【図１２】
2007037040.tif 000013
【図１３】
2007037040.tif 000014
【図１４】
2007037040.tif 000015
【図１５】
2007037040.tif 000016
【図１６】
2007037040.tif 000017
【図１７】
2007037040.tif 000018
【図１８】
2007037040.tif 000019
【図１９】
2007037040.tif 000020
【図２０】
2007037040.tif 000021
【国際調査報告】
2007037040.tif 000022
2007037040.tif 000023
2007037040.tif 000024
2007037040.tif 000025